(57)【要約】【課題】  光ディスクの表面にコーティングを施し環境からの影響を受けにくくしたディスクに対して、コーティングの性能に関する基準を示す指標がなかった。そのため、コーティングの生む臭い自他適切なシステム制御を行うことができなかった。【解決手段】  これに対し、擬似指紋を用いてエラーレートを観測して耐指紋性能を判定することを可能とし、更に所定の耐指紋性能の基準を満たしているディスクは、その情報をディスク上に記録することにより、コーティングの性能に応じたシステム制御を行うことを可能とした。【選択図】図１
2005251282.tif 000002
【特許請求の範囲】
【請求項１】
記録媒体の表面の特性に対する評価を行う記録媒体評価方法において、
前記記録媒体の表面に評価を行うためのキズ又は汚れをつけた後に、記録媒体に記録されたデータを再生し、再生されたデータの所定のデータ数に対するエラー数の最も大きな値が所定の値より小さいことと、全エラーの発生数が所定の値より小さいことにより、記録媒体の評価を行うことを特徴とする記録媒体評価方法。
【請求項２】
記録媒体の表面の特性に対する評価を行う記録媒体評価方法において、
前記記録媒体の表面に評価を行うためのキズ又は汚れをつけた後に、記録媒体に記録されたデータを再生し、再生されたデータの所定のデータ数に対するエラー数の最も大きな値が所定の値より小さいことと、エラー数の平均値が所定の値より小さいことにより、記録媒体の評価を行うことを特徴とする記録媒体評価方法。
【請求項３】
記録媒体の表面の特性に対する評価を行う記録媒体評価方法において、
前記記録媒体の表面に評価を行うためのキズ又は汚れをつけた後に、記録媒体に記録されたデータを再生し、所定数のデータに対するエラーレートの分布から、規定のエラーレートを超える頻度が所定の値より小さいことにより、記録媒体の評価を行うことを特徴とする記録媒体評価方法。
【請求項４】
記録媒体の表面の特性に対する評価を行う記録媒体評価方法において、
前記記録媒体の表面に評価を行うためのキズ又は汚れをつけた後に、記録媒体に記録されたデータを再生し、再生されたデータの所定のデータ数に対するエラー数の最も大きな値が所定の値より小さいことと、所定数のデータに対するエラーレートの分布から、規定のエラーレートを超える頻度が所定の値より小さいことにより、記録媒体の評価を行うことを特徴とする記録媒体評価方法。
【発明の詳細な説明】
【技術分野】
【０００１】
本発明は、コーティングを施した記録媒体の性能確認方法に関する。
【背景技術】
【０００２】
データを記録するための記録媒体としてDVD-RAMが普及している。DVD-RAMは、当初ディスクを保護するためのカートリッジ付きのものであったが、使い勝手を向上するために、カートリッジ無し（ベアディスク）で使用する場合が生じてきた。
【０００３】
特許文献１は、塵埃の付着し難い光ディスクについて述べられている。本文献において、図６は表面低効率と反射率の関係が示されている。このように、光ディスクの表面にレーザー光を照射し、光ディスク面より反射する反射光の強度を測定する方法が知られている。
【０００４】
また、非特許文献１は、高密度光ディスクの記録データの構成について述べられている。
【０００５】
【特許文献１】特開平５−１０９１３２号公報（図６）
【非特許文献１】「次世代光ディスク  解体新書」日経エレクトロニクス  ブックス  2003年10月7日  p72の注）図15
【発明の開示】
【発明が解決しようとする課題】
【０００６】
このように、光ディスクをベアディスクとして用いる場合には、使用する環境から受ける影響をできるだけ受けにくくする必要がある。たとえば特許文献１に示したような塵埃の付着に対するものや、人がディスク表面に触れるときに付く指紋等による影響を受けにくくするためにコーティングを施すことが必要である。このような対処をすることにより、記録再生時の信頼性を確保することが可能となる。もし、このような光ディスクに対する保護技術が施されていないディスクでは、確実な記録再生ができない場合が発生する。そのため、ベアディスクとして使用する光ディスクには、何らかの保護技術が施されていることにより、使用する環境からの影響をある程度受けにくくすることが望ましい。そして、その保護技術に対して、所定の基準を設けることにより、その基準を満たしているものをベアディスクとしての使用に耐えるものとして示すことで、記録再生の信頼性を確保することが可能になる。しかしながら、その基準の設定については述べられていない。
よって、本発明は、光ディスクの保護技術に対する評価方法を示し、ベアディスクとして用いるための判定基準を設けることを目的とする。
【課題を解決するための手段】
【０００７】
上記の課題を解決するために、本発明では、記録媒体の表面の特性に対する評価を行う記録媒体評価方法において、前記記録媒体の表面に評価を行うためのキズ又は汚れをつけた後に、記録媒体に記録されたデータを再生し、再生されたデータの所定のデータ数に対するエラー数の最も大きな値が所定の値より小さいことと、全エラーの発生数が所定の値より小さいことにより、記録媒体の評価を行うようにした。
【０００８】
また、前記記録媒体の表面に評価を行うためのキズ又は汚れをつけた後に、記録媒体に記録されたデータを再生し、再生されたデータの所定のデータ数に対するエラー数の最も大きな値が所定の値より小さいことと、エラー数の平均値が所定の値より小さいことにより、記録媒体の評価を行うようにした。
【０００９】
更に、前記記録媒体の表面に評価を行うためのキズ又は汚れをつけた後に、記録媒体に記録されたデータを再生し、再生されたデータの所定のデータ数に対するエラー数の最も大きな値が所定の値より小さいことと、所定数のデータに対するエラーレートの分布から、規定のエラーレートを超える頻度が所定の値より小さいことにより、記録媒体の評価を行うようにした。
【発明の効果】
【００１０】
このような方法を用いることにより、擬似指紋を用いてエラーレートを観測して耐指紋性能を判定することを可能とし、更に所定の耐指紋性能の基準を満たしているディスクは、その情報をディスク上に記録することにより、コーティングの性能に応じたシステム制御を行うことを可能とした。
【発明を実施するための最良の形態】
【００１１】
本発明の実施例について図面を用いて説明する。
【００１２】
図３は、光ディスクの記録再生面に対して、指紋を付着させたときの状態を示したものである。図３において、３１は光ディスク、３２は指紋を想定した、それに相当する指紋テスト用の擬似指紋スタンプ、３３は、光ディスクのデータを記録するトラックであり、特に太線部はそのうちの１ブロックを示している。このトラックは、擬似指紋の中心を通るようにすることで、指紋通過位置の違いによる、影響の長さの違いが生じない。３４は光ディスクの半径を示すものであり、これにより、擬似指紋スタンプ位置を確認する。
【００１３】
図３のような方法によって、ディスク上に擬似指紋をつけ、その状態で記録を行った後に再生した結果が図２に示した結果である。図２は、再生時のエラー発生率と、誤りが発生したアドレスの位置を示したものである。図２において、横軸は光ディスク上のデータを記録再生する領域に割り付けられたブロックのアドレス番号を示し、縦軸は各アドレスにおいて発生したデータ読み取りエラーのエラー数を割合として示したものである。記録ブロックごとに発生したエラーを測定し、記録ブロックのバイト数で割ることで、バイトエラーレート（BER）としている。エラー数が０個の場合には、グラフ作成の都合上、横軸上にポイントを示している。エラーが発生した場合には、横軸は、記録ブロックのアドレスに相当し、測定開始後からのアドレスを示している。まるで囲んだ領域はエラーが発生していることを示している。矢印にて示したポイントは本測定における最大のエラーが発生したことを示すものである。エラーレートの最大値は、測定のばらつきによって、大きく変動することがあり、また突発的に非常に多くエラーが発生する場合がある。図中の太い破線は、エラーが発生しているブロックでのエラーレートの平均を示している。このようにエラー発生数の平均または、平均エラーレートを求めることにより、擬似指紋が付けられた状態での記録再生の性能を評価することが可能になる。ここで、この平均エラーレートにより、耐指紋性能の基準として、所定の値を定めることで、ディスクに施されたコーディングの性能を評価することができる。例えば、平均エラーレートが1×10-2以下であれば、このディスクを耐指紋性能に関して、所定のレベルをクリアしたディスクとみなすことができる。ここで、基準となるエラーレートは、そのシステムにおいて再生性能が確保できるレベルとすることが望ましい。再生性能は、ディスクから信号を読み出すピックアップ、誤り訂正回路の性能や、エラーの発生状態，例えばバースト的なエラーが多く発生するシステムか、ランダム的なエラーが発生するシステムかによって異なる。
また、この基準の決め方は、最大エラーレートの値が、所定の値以下であることもに同時に満たすことを条件としてもよい。本測定では、擬似指紋を付けた後に記録し、再生してエラーレートを観測したが、予め記録されたディスクを用いたり、予めピットでデータが刻まれたディスクを用いたりして、再生によるエラーレートを観測しても構わない。この場合には、測定結果に記録性能のばらつきが影響しないため、擬似指紋による影響を正確に測定することができる。ただし、基準レベルは、指紋が付着した状態で記録して、再生する場合も考えられるため、それを考慮して決定されるべきである。
【００１４】
図１は、図３に示した方法で擬似指紋を付着させたディスクを再生して、エラーレートと発生頻度を測定したものである。横軸は発生したエラー数から求めたエラーレート、縦軸は所定のエラーレートの範囲ごとに、発生した回数を計測しグラフ化したものである。エラーが発生していない時のエラー数は縦軸に重ねている。図１中のまるで囲んだ部分は、擬似指紋によるエラー発生部分であり、エラー発生が多くなっている。図１中の斜線で囲んだ領域の発生頻度を合計すると全体の90％に相当する。このときのエラーレートは、太い点線（１）で示した部分になる。ここで、ディスクの耐指紋性能を測る基準として、太い一点差線（２）を基準値とすると、点線（１）はそれよりも十分エラーレートが低いところに位置する。そのため、この測定結果では、このディスクは擬似指紋に対して、所定の基準値以下であることがわかる。このように、発生頻度の分布から、基準値をクリアしているかどうかを判断することも可能である。また、この基準の決め方は、最大エラーレートの値が、所定の値以下であることも同時に満たすことを条件としてもよい。ここで、基準となるエラーレートは、そのシステムにおいて再生性能が確保できるレベルとすることが望ましい。再生性能は、ディスクから信号を読み出すピックアップ、誤り訂正回路の性能や、エラーの発生状態，例えばバースト的なエラーが多く発生するシステムか、ランダム的なエラーが発生するシステムかによって異なる。
勿論これらの測定は、１回の測定ではばらつきが生じるため、複数回計測し、その平均を求めるようにすることで、ばらつきによる影響を少なくすることができる。
図１０は、光ディスクからの再生信号における、擬似指紋部通過時の再生信号の変化を示したものである。ディスクの表面に付着物がある場合には、通常、ピックアップからの光に入射及び反射する光量が減少し、再生信号振幅が小さくなる。これは、装置の工夫により２値化スライスレベルを追随させるなどすることで、再生データを得ることはできるが、極端にレベルが減少した場合には、追随できなかったり、正確なデータが得られなかったりする場合がある。そこで、図１や図２で示した方法に加えて、擬似指紋通過時の再生信号振幅レベルの減少幅の規定を組合せとして加えてもよい。ここで、基準となる再生信号振幅の減少量は、そのシステムにおいて再生性能が確保できるレベルとすることが望ましい。再生性能は、ディスクから信号を読み出すピックアップ、サーボ回路の性能によって異なる。
【００１５】
図４は、DVD(Digital Versatile Disc)のデータブロックの構成を示したものである。2048バイトのデータにIDと誤りチェックコードが付加されたセクタ405を１６個集め、内符号PI401と外符号PO402が付加されている。これらのパリティにより再生データに誤りが生じた場合には訂正を行う。また、これを用いて、誤りが何個発生したかを求めることができる。この記録ブロックにインターリーブを行い、同期信号を付加したものが図５に示す記録データブロックである。データを再生する場合には、この同期信号が含まれているため、同期信号の検出制度により、再生信号の評価を行うことも可能である。例えば、擬似指紋を通過する時の同期信号の検出率や、同期信号の欠落の頻度を規定することにより、耐指紋性能を満たしているかどうかの評価に用いることも可能である。
【００１６】
図６は、再生信号からエラー数を検出するためのシステム構成の一例を示したものである。図中11は光ディスク、12はピックアップ、13はプリアンプ、14は信号処理ブロック、15は復調処理回路、10はRAM、16は誤り訂正回路、17はATAPI処理回路、18は信号出力、19はシステム制御回路、20はサーボ回路、21はモータ、22は表示手段である。光ディスク11〜ピックアップ12により信号を読み出し、プリアンプ13により等化した後に、信号処理ブロック14へ送る。信号処理ブロック14では、復調処理回路15におおいて、同期信号を検出し、そのタイミングに基づいて復調処理を行う。ここでは、同期検出ができたかどうかを確認できる。勿論、同期信号は連続性や、周期の確認により、多少の欠落には補間して対応することができる。復調されたデータは、RAM10に一時蓄えられ、インターリーブを解きながら、RAM10から読み出され、誤り訂正回路16にて、訂正処理を行う。このとき、誤り訂正したデータの数から、発生したエラーデータの数を知ることができる。訂正されたデータはATAPI処理回路17を介して信号出力18から出力される。サーボ回路20ではピックアップの制御と回転モータ21の制御が行われる。ここで、システム制御回路19は、再生システム全体を制御しており、また、誤り訂正回路にて検出されたエラーデータの数を用いて、所定の単位でエラーレートに換算し、表示手段22に表示することができる。勿論、エラーレートの換算はシステム制御回路を用いず、専用の回路を用いてもよいし、エラー数だけを求めて、別途計算することも可能である。このような再生システムを用いることで、容易に再生データの発生したエラー数またはエラーレートを求めることが可能になる。
【００１７】
図８は、非特許文献１（ｐ72図15）に示されたBlu-ray  Discの誤り訂正ブロックの構成を示したものである。図４，５に示した例と同様に、同期検出のための信号と、誤り訂正用のパリティが付加されている。その結果、155×496バイトのデータと同期信号による記録ブロックが構成される。このようなデータの構成に対しても、エラー数又はエラーレートの観測や、同期信号検出状態の観測が可能であるため、先に示したようなディスクの耐指紋性能を測定することが可能である。ここで、基準となるエラーレートや同期信号は、そのシステムにおいて再生性能が確保できるレベルとすることが望ましい。再生性能は、ディスクから信号を読み出すピックアップ、誤り訂正回路の性能や、エラーの発生状態，例えばバースト的なエラーが多く発生するシステムか、ランダム的なエラーが発生するシステムかによって異なる。
図２では、擬似指紋によるエラー数をエラーが発生した部分だけを用いて、平均エラーレートを求める方法を用いたが、図７は、エラーが発生していない場合も含めて全ての再生したデータ数に対するエラーレートとして、平均を求めたものである。ここで、図３に示したように、半径位置が異なると円周の長さが異なるため、同じ大きさの指紋スタンプを用いても、1周に対するスタンプの直径の割合が異なるため、エラーレートの比較ができない。よって、この測定方法の場合には、半径位置を規定して同じ円周の長さとしてから、基準値を規定する必要がある。
【００１８】
図９は、光ディスク11の記録エリアの構成を示したものである。800はユーザデータアリア、801はユーザデータアリアに記録されたユーザデータ、802は管理情報エリア、803は管理情報エリアに記録された管理情報を示したものである。ここで、例えば管理情報として、予めディスクに施された耐指紋性能に関わる情報を記録しておくことで、その情報からシステム制御を対応させるようにする。例えば、耐指紋のコーディングが施されていないディスクや、耐指紋性能が低い即ち指紋が付き易いディスである場合には、ディスクの表面に指紋が付着しているかをスキャンするような動作をシステムに実行させる。耐指紋性能に関わる情報としては、図３で用いたような擬似諮問に対しての平均エラーレートの値や、図１に示したように、擬似指紋を通過した場合のエラー発生頻度の分布を示す数値を記録するようにする。又は、それらの擬似指紋に対する試験方法として、複数の基準を設定しておき、どの基準を満たす耐指紋性能を備えたコーティングがなされたかを記すことで、システムが適切な制御を行うことが可能になる。これは、図１０に示したような信号振幅の変化に対する追随についてもシステムとして切り替えが可能である。例えばコーティングが施されていないディスクの場合には、指紋が付着しやすいため、指紋が検出された場合の振幅変化に対する応答速度を早くするように切り替えるなどの制御の切り替えが可能となる。
【００１９】
本発明の実施例では、光ディスクに指紋を付着させた場合を例に示すが、測定方法及び判定基準については、指紋に限定されるものではなく、傷や汚れに対する性能や、ディスク製造時に発生する欠陥などにも適用可能である。
【図面の簡単な説明】
【００２０】
【図１】擬似指紋を付着させたディスクを再生して、エラーレートと発生頻度を測定した一例を示した図である。
【図２】再生時のエラー発生率と、誤りが発生したアドレスの位置の一例を示した図である。
【図３】光ディスクに指紋を付着させたときの状態の一例を示した図である。
【図４】DVDのデータブロックの構成を示した図である。
【図５】DVDの記録データブロックの構成を示した図である。
【図６】再生信号からエラー数を検出するためのシステム構成の一例を示した図である。
【図７】エラーが発生していない場合も含めてエラーレートの平均を求めた一例を示した図である。
【図８】Blu-ray  Discの誤り訂正ブロックの構成を示した図である。
【図９】光ディスクの記録エリアの構成の一例を示した図である。
【図１０】光ディスクの再生信号の振幅変化の一例を示した図である。
【符号の説明】
【００２１】
１０…RAM、１１…光ディスク、１２…ピックアップ、１３…プリアンプ、１４…信号処理ブロック、１５…復調処理回路、１６…誤り訂正回路、１７…ATAPI処理回路、１８…信号出力、１９…システム制御回路、２０…サーボ回路、２１…モータ、２２…表示手段、２４…、３１…光ディスク、３２…指紋、３３…光ディスクのデータを記録するトラック、３４…光ディスクの半径、４０１…内符号、４０２…外符号、４０５…セクタ、８００…ユーザデータアリア、８０１…ユーザデータ、８０２…管理情報エリア、８０３…管理情報。
【図１】
2005251282.tif 000003
【図２】
2005251282.tif 000004
【図３】
2005251282.tif 000005
【図４】
2005251282.tif 000006
【図５】
2005251282.tif 000007
【図６】
2005251282.tif 000008
【図７】
2005251282.tif 000009
【図８】
2005251282.tif 000010
【図９】
2005251282.tif 000011
【図１０】
2005251282.tif 000012